(57)【要約】  空気浄化装置１００、照明装置、及び照明器具が提供される。空気浄化装置は、空気吸入口１３２、空気吹き出し口１３４、光触媒ボリューム１５０、第１の固体発光体１０２、及び第２の固体発光体１２２を備える。空気吸入口は、気流１４０を受け取る。光触媒ボリュームは光触媒材料を含み、気流は光触媒ボリュームを通って流れて一部の空気を光触媒材料に触れさせる。光触媒ボリュームは、空気吸入口と空気吹き出し口との間にある。光触媒材料は、気流中のガス同士の光化学反応において紫外線の影響下で触媒となる。第１の固体発光体が、光触媒ボリュームに向けて紫外線を放射する。第２の固体発光体が、光触媒ボリュームに向けて深い青色の光を放射する。深い青色の光は４００ナノメートル〜４５０ナノメートルの間にピーク波長を有する。
2017524391.tif 000002
【特許請求の範囲】
【請求項１】
空気を浄化するための空気浄化装置であって、
−気流を受け取るための空気吸入口と、
−空気吹き出し口と、
−光触媒材料を有する光触媒ボリュームであって、前記光触媒ボリュームを通って流れる空気の少なくとも一部が前記光触媒材料と接触するように空気が前記光触媒ボリュームを通って流れることを可能にし、使用時に前記空気吸入口によって受け取られた気流の少なくとも一部が前記光触媒ボリュームを通って流れることを確実にするように前記空気吸入口と前記空気吹き出し口との間に配置され、前記光触媒材料が、前記光触媒ボリュームを通って流れる空気中のガス同士の光化学反応において紫外線の影響下で触媒となる、光触媒ボリュームと、
−紫外線を放射する第１の固体発光体であって、前記光触媒材料を前記触媒として作用するように活性化させるために紫外線を前記光触媒ボリュームに向けて放射する、第１の固体発光体と、
−４００ナノメートルから４５０ナノメートルの範囲内にピーク波長を有する発光スペクトルで深い青色の光を放射する第２の固体発光体であって、前記光触媒ボリュームに向けて深い青色の光を放射する、第２の固体発光体と、
−前記第１の個体発光体が発光していない間の少なくとも一期間に前記第２の固体発光体をオン状態へと制御する、前記第２の固体発光体のオン及びオフ状態を制御するためのコントローラと、を備える、空気浄化装置。
【請求項２】
前記少なくとも一期間は、前記第１の固体発光体が発光していない期間のほぼ全体、前記第１の固体発光体が発光していない期間のうちの限られた期間、前記第１の固体発光体が発光していない期間の間の定期的な又は不定期の間隔での複数期間、のうちの１つを含む、請求項１に記載の空気浄化装置。
【請求項３】
前記第２の個体発光体の光強度が、前記光触媒ボリュームにおいて１０から３０ｍＷｈ/ｃｍ２の範囲内の深い青色の光の光エネルギー密度を得るように選択される、請求項１又は２に記載の空気浄化装置。
【請求項４】
深い青色の光の前記発光スペクトルの前記ピーク波長が４１５から４３５ナノメートルの範囲内にある、請求項１乃至３の何れか一項に記載の空気浄化装置。
【請求項５】
前記第１の個体発光体によって放射される紫外線が３００ナノメートルから４００ナノメートルの範囲内のピーク波長を有する、請求項１乃至４の何れか一項に記載の空気浄化装置。
【請求項６】
前記光触媒ボリュームが細長い構造体を含み、前記光触媒材料が前記細長い構造体の表面の少なくとも一部の上に設けられる、請求項１乃至５の何れか一項に記載の空気浄化装置。
【請求項７】
前記細長い構造体が繊維であり、かつ、前記光触媒ボリュームが、前記繊維から作製される、織られた、又は不織の材料である、請求項６に記載の空気浄化装置。
【請求項８】
前記空気吸入口によって受け取られる気流を発生させるための気流発生器を更に備える、請求項１乃至７の何れか一項に記載の空気浄化装置。
【請求項９】
前記第２個体発光体が、前記空気浄化装置のハウジングの内側表面の一部に向けて、前記深い青色の光を放射する、請求項１乃至８に記載の空気浄化装置。
【請求項１０】
光源と、請求項１乃至９の何れか一項に記載の前記空気浄化装置とを備える、照明装置。
【請求項１１】
紫外線を可視光に変換する発光材料を更に備え、前記発光材料が前記空気浄化装置の前記第１の個体発光体によって放射される紫外線の一部を受け取り、前記照明装置が前記照明装置の周囲に向けて前記可視光の少なくとも一部を放射するための光出口窓を更に備える、請求項１０に記載の照明装置。
【請求項１２】
請求項１０又は１１に記載の照明装置を備える、照明器具。
【発明の詳細な説明】
【技術分野】
【０００１】
本発明は、空気浄化装置に関する。本発明は更に、空気浄化装置を備える照明装置、及び照明装置を備える照明器具に関する。
【背景技術】
【０００２】
参照により組み込まれる公開特許出願、国際公開第２０１４／０９７０８９号は、照明のための及び空気浄化のための照明ユニット及び照明器具を開示している。この照明ユニットは、使用時に中を空気が流れる光触媒ボリュームを備える。光触媒ボリュームは光触媒材料を含み、この材料は、この材料に当たる光の影響下で、気流中のガス同士の光化学反応における触媒となるように構成される。照明ユニットは、光触媒ボリュームに向けて光を放射する固体発光体を少なくとも備え、放射された光は気流中のガス同士の光化学反応を補助する光を少なくとも含む。
【０００３】
引用された文献の照明ユニットの光触媒ボリュームは、孔又は穴などの開放空間を含み、気流がこの空間を通って光触媒ボリュームの一方の側から光触媒ボリュームの他方の側へ流れることができる。多くの典型的な使用事例においては、これらの開放空間の内側で又は開放空間の入口窓において、細菌のコロニーが繁殖し始めることがある、というのも、そのような細菌が周辺環境から光触媒ボリュームの表面へと気流によって送り出されるからであり、かつ、照明ユニット内にはしばしばそのような細菌が増殖するのに比較的適した環境が存在するからである。比較的湿気のある及び／又は暖かい環境では、照明ユニット内で水は凝縮水であることがあり、そのとき、水と比較的高い温度とが、細菌が増殖するのに非常に適した環境を提供する。あまりにも多くの細菌のコロニーが形成されると、もはや有効な空気浄化が不可能になる、というのも、光触媒ボリュームの空気に対する透過性が低くなることがあり、かつ、細菌又は細菌の残骸が、光触媒ボリュームの中を流れる空気に対して望ましくない（気相の）化合物を供給することがあるからである。更に、多数の細菌コロニーが健康上のリスクを誘発することがある、というのも、細菌又は残骸により放出されるガスが有毒であることがあり、かつ／又は、引用される特許出願の照明ユニットを出てゆく気流中に、照明ユニットに入る流れの中に存在するよりもより多くの細菌が存在し得るからである。
【発明の概要】
【発明が解決しようとする課題】
【０００４】
本発明の目的は、既知の空気浄化装置よりも安全な空気浄化装置を提供することである。
【課題を解決するための手段】
【０００５】
本発明の第１の態様は、空気浄化装置を提供する。本発明の第２の態様は、照明装置を提供する。本発明の第３の態様は、照明器具を提供する。有利な実施形態が、従属請求項で定義される。
【０００６】
本発明の態様に従って空気を浄化するための空気浄化装置は、空気吸入口、空気吹き出し口、光触媒ボリューム、第１の固体発光体、及び第２の固体発光体を備える。空気吸入口は、気流を受け取るためのものである。光触媒ボリュームは、光触媒材料を含み、かつ、光触媒ボリュームの中を流れる空気の少なくとも一部がこの光触媒材料と接触するように空気が光触媒ボリュームの中を流れることを可能にするように構成される。光触媒ボリュームは、使用時に空気吸入口によって受け取られる気流の少なくとも一部が光触媒ボリュームの中を流れるようにするために、空気吸入口と空気吹き出し口との間に配置される。光触媒材料は、光触媒ボリュームの中を流れる空気中のガス同士の光化学反応において紫外線の影響下で触媒となるように構成される。第１の固体発光体は、紫外線を放射するように構成され、かつ、光触媒材料を、光触媒ボリュームの中を流れる空気中のガス同士の光化学反応における触媒として作用するように活性化させるために、光触媒ボリュームに向かって紫外線を放射するように構成される。第２の固体発光体は、４００ナノメートルから４５０ナノメートルの範囲内にピーク波長を有する発光スペクトルで深い青色の光を放射するように構成される。第２の固体発光体は、光触媒ボリュームに向けてこの深い青色の光を放射するように構成される。
【０００７】
使用時には、空気浄化装置は空気浄化器として動作する、というのも、光触媒材料上に当たる紫外線によって活性化される光触媒材料に沿って空気が流れ、従って、気流中の有害な又は不快なガスが反応してより有害ではない又は不快ではないガスになり得るからである。光触媒ボリュームは、深い青色の光も受け取る。深い青色の光は、光触媒ボリュームを消毒する光として作用する。細菌は、この光によって殺菌される。このように、殆どの細菌が光触媒ボリューム中に定着せず、大きなコロニーに発展することができない。それによって、（使用時には、中を空気が流れる）光触媒ボリュームの通気道が細菌のコロニーによって遮断される又は封止されるので、光触媒ボリュームがより有効ではなくなる、ということを防止する。更に、空気浄化装置の空気吹き出し口を通じて、（細菌によって生成される、又は細菌の残骸から生じる）有害ガスを放出する危険性が低減される。これによって、より安全な空気浄化装置が得られる。
【０００８】
（使用時に）空気が中を流れるにちがいない光触媒ボリュームを使用する空気浄化器の分野で働く当業者は、深い青色の光の有益な効果を認識していない。当業者にとって、追加の固体発光体を含めることは明らかなことではない、というのも、それは空気浄化装置の電力効率にあまりに大きな影響を及ぼすように思えるからである。当業者の分野では、当業者は、空気を比較的高温に加熱しそれによって細菌を熱的に殺菌することにより細菌を防止することを認識しているにすぎないか、又は、当業者は、光触媒ボリュームが定期的に交換されるか又は清掃されなくてはならないという解決策を認識している。
【０００９】
深い青色の光の発光スペクトルは、４００から４５０ｎｍの範囲内にピーク波長を有する。任意選択的に、ピーク波長は４０５から４４５ｎｍの範囲内にある。任意選択的に、深い青色の光の発光スペクトルの幅は、半値全幅値として測定される場合、７５ｎｍよりも狭くなる。任意選択的に、深い青色の光の発光スペクトルの幅は、半値全幅値として測定される場合、５０ｎｍよりも狭くなる。
【００１０】
深い青色の光及び紫外線は、光触媒ボリュームに向けて放射される。従って、光は、少なくとも外側から見える光触媒ボリュームの表面に当たる。光触媒ボリュームは、気流が光触媒ボリュームの中を流れることができるように構成され、これは、少なくとも穴又は通気道が存在することを意味する。深い青色の光及び紫外線もまた、そのような孔又は通気道を介して光触媒ボリュームの内部に伝達されることができる。
【００１１】
空気浄化装置は、第２の固体発光体のオン及びオフ状態を制御するためのコントローラを更に備える。コントローラは、例えば第１の固体発光体などの空気浄化装置の他の部品を制御するようにも構成され得る。これは、光触媒ボリュームが十分に消毒されるように第１の固体発光体を制御することを可能にし、一方で、あまりに多くの電力が使用されるのが防止される。例えば、コントローラは、オンモードにおいて、特定の期間に係る定期的な間隔の間、第２の固体発光体を制御するように構成され得る。
【００１２】
コントローラは、第１の固体発光体が発光していない間に、第２の固体発光体をオン状態へと制御するように構成される。従って、空気浄化装置が空気を浄化していない（かつスイッチオフされようとしている）とき、光触媒ボリュームは依然として深い青色の光によって消毒され、それによって空気浄化装置が比較的に安全であることが確実になる。
【００１３】
しばしば、空気を処理しかつ比較的長い期間使用されていない装置に気流が取り込まれると、例えば、装置の内部で繁殖している細菌による代謝産物の結果である特定の臭いが発生し得る。これは、光触媒ボリュームにも当てはまる。これにより、空気浄化装置がスイッチオフされていると思われる間に、光触媒ボリュームの消毒が可能となる。これによって、比較的長い不活性の期間の後で空気浄化装置が動作するよう制御されるとき、嫌な臭いが発生し得ることも防止される。第１の固体発光体が発光しておらず、従ってオフモードであるとき、コントローラは第２の固体発光体を、連続的にオンモードで制御するか、限られた期間の間のみオンモードで制御するか、又は特定の期間に係る定期的な間隔の間オンモードで制御することが、あり得る。
【００１４】
上述したように、光触媒ボリュームの消毒は比較的低電力レベルで実施されることができ、それによって空気浄化装置が空気浄化モードではないときに過剰な電力を消費することを防止する。第１の固体発光体がオンモードである間、第２の固体発光体がオンモードであることが理にかなっているように思えるが、しかしながら、コントローラは、第１の固体発光体が、光触媒ボリュームの効果的な消毒を依然として維持する一方でエネルギーを幾らか節約するように発光する間、第２の固体発光体を複数期間の間オフモードで制御するように構成され得る。
【００１５】
任意選択的に、「少なくともその期間」は、第１の固体発光体が発光していない期間のほぼ全体、第１の固体発光体が発光していない期間のうちの限られた期間、第１の固体発光体が発光していない期間の間の定期的な又は不定期の間隔での複数期間、のうちの１つを含む。
【００１６】
任意選択的に、第２の固体発光体の光強度は、光触媒ボリュームにおいて１０から３０ｍＷｈ／ｃｍ２の範囲の深い青色の光の光エネルギー密度を得るように選択される。本発明者らは、光触媒ボリュームの消毒効果を得るために、比較的少量の深い青色の光が光触媒ボリューム上に当たらなくてはならないことを発見した。それによって、空気浄化装置が安全性を維持し、かつ空気浄化装置が効果的なままである一方で、追加の光源により起こり得る不利な効果、即ち空気浄化装置の電力効率が低減されることが克服される。
【００１７】
光触媒ボリュームは、十分に画定された外表面を有し得るが、他の実施形態では、その構造が例えば不織繊維に基づいているので、十分に画定されていない外表面を有し得ることに、留意されたい。少なくとも１つが、光触媒ボリュームの周りに包絡面を画定することができ、この包絡面は特定の（仮想的な）表面を有する。深い青色の光はそのような（仮想的な）表面の一部に当たり、この実施形態に従うと、深い青色の光の光エネルギー密度は、深い青色の光が当たる包絡面の（仮想的な）面の一部において、１０から３０ｍＷｈ／ｃｍ２内になる。この光強度は低く、従って、第１の固体発光体は電力をあまり消費しない固体発光体であり得る。
【００１８】
任意選択的に、深い青色の光の発光スペクトルのピーク波長は、４１５から４３５ナノメートルの範囲内にある。そのようなピーク波長を有する深い青色の光が光触媒ボリュームを消毒するのに効果的であることが知られている。
【００１９】
任意選択的に、第１の固体発光体によって放射される紫外線は、３００ナノメートルから４００ナノメートルの範囲内のピーク波長を有する。
【００２０】
任意選択的に、光触媒ボリュームは細長い構造体を備え、光触媒材料がこの細長い構造体の表面の少なくとも一部上に設けられる。細長い構造体は比較的大きな表面を有し、従って、大量の清浄されるべき空気が比較的大きな表面上に設けられた光触媒材料と接触させられ得る。
【００２１】
任意選択的に、細長い構造体は繊維であり、任意選択的に、光触媒ボリュームは繊維でできた織物又は不織布材料である。光触媒ボリュームのそのような実施形態は、空気浄化装置に容易に統合可能なコンパクトなフィルタであり得る。
【００２２】
任意選択的に、空気浄化装置は、空気吸入口によって受け取られる気流を発生させるための気流発生器を更に備える。気流発生器は、例えば、通風装置、換気扇、送風機、等である。本発明は気流発生器を備える空気浄化装置に限定されるものではない、というのも、空気浄化装置は、気流を受け取るために既に気流を発生させている別のシステムに結合され得るからである、ということに留意されたい。そのような別のシステムは、例えば、建物の空調又は空気リフレッシュシステムである。任意選択的に、上述したコントローラは気流発生器も制御する。例えば、コントローラは気流発生器をオン及びオフすることができる。又は、気流発生器が制御可能な量の気流を発生させることができる場合、コントローラは、気流発生器によって動かされる単位時間当たりの空気量を制御することができる。
【００２３】
任意選択的に、第２の固体発光体が、空気浄化装置の他の部品に向けて深い青色の光を放射するように構成される。例えば、深い青色の光は、空気浄化装置のハウジングの内側表面の一部に向けて、又は空気吸入口若しくは空気吹き出し口の一部に向けても、放射される。これによって、空気浄化装置のより多くの表面が消毒される。深い青色の光が当たる幾つかの素子は、深い青色の光が消毒されるべきより多くの場所に向けて反射されるように、部分的に反射することができる。第２の固体発光体は、例えば、光の一部を光触媒ボリュームに向けて、及び／又は空気浄化装置の他の部品に向けて反射するための反射器などの光学素子も有することができる。任意選択的に、光触媒ボリュームは、少なくとも深い青色の光に対して部分的に光透過性である。これは、例えば、光触媒ボリューム内の通気道が、光触媒ボリュームの他方の側に配置された部品が深い青色の光の一部を受け取るように、深い青色の光が部分的に光触媒ボリュームの中を透過することを可能にすることを意味する。光触媒ボリューム内の通気道は、例えば、通気道を通る光の透過にも寄与する、部分的に光反射性の壁を備える。
【００２４】
本発明の別の態様に従うと、光源と、上述した実施形態に従った空気浄化装置とを備える照明装置が提供される。光源と空気浄化装置との一体化は、建物の照明器具又は照明設備に容易に取り付けることができる比較的コンパクトな装置を得るという点に関して、利点をもたらし得る。更に、光源に供給される電力が、空気浄化装置に電力を供給するために使用されることができる。
【００２５】
任意選択的に、照明装置は発光材料を含む。発光材料は、紫外線を可視光に変換するように構成され、かつ、空気浄化装置の第１の固体発光体によって放射される紫外線の一部を受け取るように構成される。照明装置は、可視光の少なくとも一部を照明装置の周囲に向けて放射するための、光出口窓を更に備える。この実施形態では、第１の固体発光体によって生成される紫外線の一部が、発光材料に当たり、可視光に変換される。これによって、発光材料と空気浄化装置の第１の固体発光体とは共に、照明装置の光源を形成する。この実施形態では、追加の光源を設ける必要はなく、第１の固体発光体によって生成される光がより効率的に使用される。例えば、生成された紫外線の大部分が光触媒材料によって空気浄化に効果的に寄与しない場合でも、この実施形態は電力使用に関して特に効率的になる、というのも紫外線が全く浪費されないからである。光触媒ボリュームは、透明な又は半透明の材料で部分的に構築されて、深い青色の光が光触媒ボリュームを通って部分的に透過するようにすることも、あり得る。
【００２６】
本発明の更なる態様に従うと、上述した照明装置の実施形態のうちの１つに従った照明装置を備える照明器具が提供される。
【００２７】
本発明の態様に従う照明装置及び照明器具も、本発明の態様に従う空気浄化装置と同じ利点をもたらし、空気浄化システムの対応する実施形態と類似の効果を有する類似の実施形態を有する。
【００２８】
本発明のこれらの及び他の態様が、以降に記載される実施形態から明らかになり、かつ、以降に記載される実施形態を参照して説明されるであろう。
【００２９】
本発明の上述した選択肢、実装、及び／又は態様のうちの２つ以上が、有用と思われる任意のやり方で組み合わされ得ることが、当業者によって理解されるであろう。
【００３０】
空気浄化システムの記載された修正例及び変形例に対応する、空気浄化装置、照明装置、及び照明器具の修正及び変形が、本明細書の記載に基づいて当業者によって実行され得る。
【図面の簡単な説明】
【００３１】
【図１ａ】空気浄化装置の実施形態を断面図で概略的に示した図である。
【図１ｂ】第１の固体発光体及び第２の固体発光体の発光スペクトルの実施形態を概略的に示した図である。
【図２】空気浄化装置を別の実施形態の一部の分解図で概略的に示した図である。
【図３ａ】光触媒ボリュームの実施形態を分解図で概略的に示した図である。
【図３ｂ】光触媒ボリュームの別の実施形態を断面図で概略的に示した図である。
【図４ａ】照明装置の３次元図を概略的に示した図である。
【図４ｂ】線ＩＶ−ＩＶ’に沿った、図４ａの照明装置の断面図の可能な実施形態を概略的に示した図である。
【図４ｃ】線ＩＶ−ＩＶ’に沿った、図４ａの照明装置の断面図の可能な実施形態を概略的に示した図である。
【図５】照明器具の２つの異なる実施形態を備えた建物の空間の内部を概略的に示した図である。
【００３２】
異なる図において同一の参照符号により示された項目は、同一の構造的特徴及び同一の機能を有するか、又は同一の信号であることに、留意すべきである。そのような項目の機能及び／又は構造が既に説明された場合、詳細説明においてその説明を繰り返す必要はない。
【００３３】
図は、純粋に概略的であり、正確な縮尺で描かれていない。特に明確にするために、幾つかの寸法は強く誇張されている。
【発明を実施するための形態】
【００３４】
図１ａは、空気浄化装置１００の実施形態を断面図で概略的に示す。空気浄化装置１００は、（入力の）気流１４０を受け取るための空気吸入口１３２と、（出力の）気流１４２を提供するための空気吹き出し口１３４と、包絡面１５２が破線により概略的に示されている空気浄化ボリューム１５０と、を有するハウジング１３０を備える。
【００３５】
光触媒ボリューム１５０は、空気吸入口１３２と空気吹き出し口１３４との間に配置される。光触媒ボリューム１５０は、空気が光触媒ボリューム１５０を通って流れることを可能にするように構成される。図１ａの実施形態では、（入力の）気流１４０のほぼ全体が、光触媒ボリューム１５０を通過するであろう。これは、光触媒ボリューム１５０が、空気が中を流れることができる少なくとも通気道（明確には図示せず）を有することを意味する。光触媒ボリューム１５０は、使用時には空気が沿って流れる光触媒ボリューム１５０の表面の少なくとも一部に設けられる光触媒材料を備える。従って、実際の実施形態では、通気道に面する表面の少なくとも一部が光触媒材料を含む。光触媒材料は、使用時に光触媒ボリューム１５０の中を流れる空気中のガス同士の光化学反応において紫外線の影響下で触媒となるように構成される。図１ａの特定の実施形態において、光触媒ボリュームは、不織構成で光触媒ボリューム１５０を形成する繊維１５４を含む。繊維１５４の間には、空気が光触媒ボリューム１５０を通って流れることを可能にする開放空間が依然として存在する。繊維１５４の表面の一部が、光触媒材料でコーティングされている。
【００３６】
空気浄化装置１００が、第１の固体発光体１０２及び第２の固体発光体１２２も備える。第１の固体発光体１０２は、紫外線１０４を放射するように構成される。第１の固体発光体によって放射される光ビームと、固体発光体１０２が空気浄化装置１００の内部で配置される場所とは、紫外線１０４が光触媒ボリューム１５０に向けて伝達されて、紫外線１０４が光触媒ボリューム１５０の光触媒材料を活性化することを可能にするように、選択される。従って、第１の固体発光体１０２が紫外線１０４を放射しておりかつ空気吸入口１３２が（入力の）気流１４０を受け取るとき、空気浄化装置１００は、臭いのする又は有害なガスの少なくとも一部を気流１４０から除去し、（入力の）気流１４０よりもきれいな（出力の）気流１４２を空気吹き出し口１３４を介して供給する。空気浄化装置１００の実施形態は、単一の第１の固体発光体を有する実施形態に限定されない。一実施形態では、空気浄化装置は、光触媒ボリュームへ紫外線１０４を放射する複数の固体発光体を備える。紫外線１０４を放射するそのような複数の固体発光体は、１次元又は２次元のアレイに配置され得るか、又は、光触媒ボリューム１５０の最高の照度を得るために特定の３次元構成で配置され得る。
【００３７】
第２の固体発光体１２２は、光触媒ボリューム１５０を消毒するために、光触媒ボリューム１５０に向けて深い青色の光１２４を放射する。深い青色の光１２４は、４００ナノメートルから４５０ナノメートルの範囲内にピーク波長を有する特定の発光スペクトルを有する。この範囲の波長を有する深い青色の光１２４は、細菌を効果的に殺菌しかつ／又は不活性化し、それによって、細菌のコロニーが光触媒ボリューム１５０内で増殖する可能性を防止する。別の実施形態では、ピーク波長は４０５ナノメートルから４４５ナノメートルの範囲にある。更なる実施形態では、ピーク波長は４１５から４３５ナノメートルの範囲にある。深い青色の光１２４は、光触媒ボリューム１５０の特定の表面又は側面の一部において、光触媒ボリューム１５０に当たる。この表面又は側面は、（例えば、繊維１５４の不織構造のおかげで）必ずしも十分に画定された表面になるとは限らないが、この明細書では、仮想的な包絡面１５２が光触媒ボリューム１５０の周りに描かれる場合には、この仮想的な包絡面１５２は光触媒ボリューム１５０の（仮想的な）表面１５４を画定すると仮定する。従って、深い青色の光１２４は光触媒ボリューム１５０の（仮想的な）表面１５４の一部に当たり、一実施形態では、この部分に当たる深い青色の光１２４の光エネルギー密度は、１０から３０ミリワット時／平方センチメートル（ｍＷｈ／ｃｍ２）の範囲内になる。この光エネルギー密度は、深い青色の光１２４が光触媒ボリューム１５０に当たる光触媒ボリューム１５０の（仮想的な）表面において決定される。任意選択的に、深い青色の光１２４の光エネルギー密度は、光触媒ボリューム１５０の（仮想的な）表面で測定されるとき、１５から２５ｍＷｈ／ｃｍ２の範囲内になる。光触媒ボリューム１５０の（仮想的な）表面１５４における深い青色の光１２４の光エネルギー密度は、第２の固体発光体１２２によって放射される光の量と、第２の固体発光体１２２によって放射される光ビームの幅と、光触媒ボリューム１５０と第２の固体発光体１２２との間の距離と、（例えば、ハウジング１３０の壁による深い青色の光１２４の反射などの）深い青色の光１２４の光透過経路上に発生する他の任意選択的な光学効果と、に依存する。実際の実施形態では、固体発光体１２２によって放射されることになる電力の量は、例えば０．５ワットよりも低いなど、比較的に低いことがある。一実施形態では、空気浄化装置１００が、光触媒ボリュームに向けて深い青色の光１２４を放射する複数の第２の固体発光体１２２を備えることに、留意されたい。そのような複数の第２の固体発光体１２２は、例えば複数の第１の固体発光体１０２と共に、１次元又は２次元のアレイに配置され得るか、又は、光触媒ボリューム１５０の良好な照度を可能にする特定の３次元構成で配置され得る。
【００３８】
任意選択的に、空気浄化装置１００はコントローラ１１０を備える。コントローラ１１０は、第１の固体発光体１０２及び／又は第２の固体発光体１２２に結合され、かつ、任意選択の制御信号１１２、１１４をそれぞれの固体発光体１０２、１２２に供給して固体発光体のオン及びオフ状態を制御する。コントローラ１１０は、例えば第１の固体発光体１０２のオン及びオフ状態を制御することにより、空気浄化装置１００の空気浄化動作を制御することができる。空気浄化装置１００は、換気扇又は通風装置などの気流発生器を備えることもでき、コントローラ１１０は、気流発生器の動作も同様に制御するように構成されることができる。コントローラ１１０は、第２の固体発光体１２２のオン又はオフ状態を制御して、光触媒ボリューム１５０の効果的な消毒を達成するように構成されることもできる。一例では、コントローラ１１０は、特定の期間の間、第２の固体発光体１２２を定期的な間隔でオン状態に制御して、光触媒ボリューム１５０の十分な消毒を達成する。一例では、コントローラ１１０は、第１の固体発光体１０２もオン状態に制御されている間に、第２の固体発光体１２２をオン状態に制御する。有利な追加の例では、コントローラ１１０は、第１の固体発光体１０２がオフ状態である間に第２の固体発光体１２２をやはりオン状態に制御して、空気浄化装置１００が能動的に気流１４０を浄化していない間にも光触媒ボリュームの消毒を継続する。制御信号１１２、１１４は、それぞれの固体発光体１０２、１２２を駆動する駆動回路を制御するための低電力信号であり得る。制御信号１１２、１１４は、コントローラ１１０が非常に高い電力信号を発生させるように構成される場合には、固体発光体１０２、１２２の駆動信号でもあり得る。
【００３９】
図１ｂは、それぞれ、第１の固体発光体１０２及び第２の固体発光体１２２の発光スペクトル１７２、１７４の実施形態を概略的に示す。グラフ１７０のｘ軸は放射された光の波長λを表し、一方ｙ軸は放射された光の（正規化された）強度Ｉを表す。発光スペクトル１７２は、第１の固体発光体１０２の発光スペクトルの一例である。発光スペクトル１７２は紫外線を表し、従って、そのピーク波長λｐｅａｋ１は少なくとも４００ナノメートルよりも小さくなる。任意選択的に、発光スペクトル１７２のほぼ全ての波長が、４００ナノメートル未満になる。任意選択的に、発光スペクトル１７２のピーク波長λｐｅａｋ１は、３００ナノメートルから４００ナノメートルの範囲内にある。任意選択的に、発光スペクトル１７２のほぼ全ての波長が、３００ナノメートルから４００ナノメートルの範囲内にある。発光スペクトル１７４は、第２の固体発光体１２２の発光スペクトルの一例であり、深い青色の光を表す。発光スペクトル１７４のピーク波長λｐｅａｋ２は４００〜４５０ナノメートルの間にあり、任意選択的に、４０５〜４４５ナノメートルの間にあり、任意選択的に、４１５〜４３５ナノメートルの間にある。一実施形態では、発光スペクトル１７４の幅ＷＦＷＨＭは、半値全幅値として再確認された場合、７５ナノメートル未満であり、任意選択的に５０ナノメートル未満であり、又は任意選択的に３５ナノメートル未満である。
【００４０】
任意選択的に、第２の固体発光体１２２によって放射される深い青色の光１２４は、光触媒ボリューム１５０に当たるだけではなく、空気浄化装置１００の他の部品にも当たる。例えば、深い青色の光１２４は、ハウジング１３０の（内側の）壁の一部に当たって、壁を消毒し、かつ壁上で細菌のコロニーが増殖するのを防止することができる。空気吸入口１３２は例えば空気吸入フィルタを備えることができ、深い青色の光１２４は、空気吸入フィルタに当たって、細菌がその空気吸入フィルタの通気道において増殖し始めるのを防止することができる。任意選択的に、光触媒ボリューム１５０は、深い青色の光１２４に対して部分的に光透過性である。これは、光触媒ボリューム１５０の（仮想的な）表面１５４に当たる深い青色の光１２４の一部が、別の表面、例えば反対側の表面において光触媒ボリューム１５０を出てゆくことを意味する。深い青色の光１２４が光触媒ボリューム１５０を通って部分的に透過されると、光触媒ボリューム１５０の内側の通気道も十分に消毒され、光触媒ボリューム１５０の別の側の部品も消毒されることができる。
【００４１】
空気浄化の分野における当業者は、紫外線の影響下で気流中のガス同士の反応を支援する適切な光触媒材料を知っている。これらの材料は、光化学反応を促進する触媒である。空気浄化の文脈において、従って本発明の文脈において、それらは、特定の波長の光の影響下で、気流中の有害な又は不快なガスが除去されるように、気流中のガス同士の反応を助ける。光触媒材料は、特定の波長の光を受け取るときに、良好な触媒としてのみ作用する。本発明の文脈において、これらの特定の波長は紫外スペクトル範囲内にある。空気を浄化するために使用され得る光触媒材料の良く知られた例としては、次のものが挙げられる。ＴｉＯ２、ＳｒＴｉＯ３、Ｎａ２Ｔｉ６Ｏ１３、ＢａＴｉ４Ｏ３、Ｋ２Ｌａ２Ｔｉ３Ｏ１０、ＺｒＯ２、Ｋ４Ｎｂ６Ｏ１７、Ｓｒ２Ｎｂ２Ｏ７、Ｋ３Ｔａ３Ｓｉ２Ｏ１３、ＬｉＴａＯ３、ＮａＴａＯ３、ＫＴａＯ３、ＢａＴａ２Ｏ６、ＣａＴａ２Ｏ６、ＲｂＮｄＴａ２Ｏ７、ＳｒＴａ２Ｏ６、Ｓｒ２Ｔａ２Ｏ７、ＲｂＮｂＷＯ６、ＲｂＴａＷＯ６、ＣｓＮｂＷＯ６、ＣｓＴａＷＯ６、ＺｎＧａ２Ｏ４、ＬｉＩｎＯ２、ＮａＩｎＯ２、ＣａＩｎ２Ｏ４、ＳｒＩｎ２Ｏ４、Ｚｎ２ＧｅＯ４、Ｓｒ２ＳｎＯ４、ＮａＳｂＯ３、ＣａＳｂ２Ｏ６、Ｃａ２Ｓｂ２Ｏ７、Ｓｒ２Ｓｂ２Ｏ７、ＬａＴｉＯ２Ｎ、ＣａＮｂＯ２Ｎ、ＴａＯＮ、Ｔａ３Ｎ５、ＣａＴａＯ２Ｎ、ＳｒＴａＯ２Ｎ、ＢａＴａＯ２Ｎ、ＬａＴａＯ２Ｎ、ＴｉＯＮｘ、Ｔｉ１−ｘＴａｘＯ２−ｘＮｘ、ＬａＴａＯＮ２、ＴｉＯ２−２ｘＮｘＦｘ、Ｆｅ又はＣｏなどの、スペクトルの可視部分において吸収を誘発するために遷移金属イオンにドープされたＴｉＯ２、バンドギャップが低減された疑似二次元構造におけるＴｉＯ２（例えば、Nature Chemistry，Volume 3，Issue 4，pp.296-300 (2011)を参照）。或いは、光を伴う放射と同時に反応性１Ｏ２を生成する材料を使用することができ、この反応性１Ｏ２は順番に実際の浄化反応を行う。そのような材料は、例えば、インドシアニングリーン、フタロシアニン、メチレンブルー、スルホローダミン１０１、コウシンバラ、テトラフェニルポルフィリン、バクテリアクロロフィルａ、クマリン６、クマリン３４３、クマリン３１４、クマリン３０、ＤＣＶ−５Ｔを含む。
【００４２】
ＴｉＯ２は、紫外線を受けるときに有利な光触媒材料である。ＴｉＯ２は、ＴｉＯ（２−ｘ）：Ｃｘ又はＴｉＯ（２−ｙ）：Ｎｙが得られるように、その結晶構造においてＣ又はＮを含むこともできる。純粋なＴｉＯ２由来の材料からのこれらの材料も、紫外線に敏感である。
【００４３】
固体発光体の例としては、発光ダイオード（ＬＥＤ）、有機発光ダイオードＯＬＥＤ、又は、例えばレーザーダイオードがある。
【００４４】
図２は、空気浄化装置２００の一部の別の実施形態を分解図で概略的に示す。図２では、空気浄化装置２００のハウジングは図示されていないが、ハウジングは、図２に示される素子を備え、空気吸入口及び空気吹き出し口を備えている。図２の実施形態は、図１の光触媒ボリューム１５０とほぼ等しい光触媒ボリューム１５０を示している。空気浄化装置２００は、１つの第１の固体発光体及び１つの第２の固体発光体の代わりに、固体発光体２０２、２２２の二次元のアレイ２０６を有する。２次元のアレイ２０６は、複数の第１の固体発光体２０２（破線ではない）と、２つの第２の固体発光体２２２（破線）とを有する。第１の固体発光体２０２は光触媒ボリューム１５０に向けて紫外線を放射するように構成され、第２の固体発光体２２２は光触媒ボリューム１５０に向けて深い青色の光を放射するように構成される。紫外線及び深い青色の光の実施形態は、図１ａ及び図１ｂとの関係において議論される。アレイ２０６の固体発光体２０２、２２２は、送電線によって互いに結合される。任意選択的に、アレイ２０６は、第１の固体発光体２０２及び／又は第２の固体発光体２２２が発光しなくてはならないかどうかを示す制御信号２１２、２１４を送信する駆動回路及び／又は電気接続も備える。そのような制御信号２１２、２１４は、図１ａの関係において議論された実施形態に従ってそのような信号を生成したコントローラ２１０によって、生成されることができる。空気浄化ユニット２００の実施形態は、使用時に光触媒ボリューム１５０に向かって運ばれる（入力の）気流１４０を発生させる通風装置２８０も備える。固体発光体２０２、２２２のアレイ２０６は、固体発光体２０２、２２２が発生された気流１４０によって冷却されるように、通風装置２８０と光触媒ボリューム１５０との間に配置されることができる。通風装置２８０は、空気吸入口を通して空気浄化装置のハウジングの外側から空気を吸い込むように構成される。任意選択的に、コントローラ２１０は、通風装置２８０のオン及びオフ状態を制御するための制御信号２１６を生成するようにも構成される。制御信号２１６は通風装置２８０の駆動回路に提供されることができ、又は、コントローラ２１０は、通風装置２８０を直接的に駆動するための電力信号を生成するように構成されることができる。コントローラは、例えば、複数の第１の固体発光体２０２及び通風装置２８０を、同時に調子を合わせてオン状態に制御する。
【００４５】
空気浄化装置２００の実施形態は、必ずしも通風装置２８０又は（入力の）気流１４０を発生させるための別の手段を含むわけではないことを、留意されたい。他の実施形態では、空気浄化装置の空気吸入口は、気流を受け取るために、例えば、建物の空気リフレッシュシステム又は空調システムの空気吹き出し口に結合されている。更なる実施形態では、空気浄化装置の空気吹き出し口が、空気リフレッシュシステム又は空調システムの空気吸入口と結合され、それによって、空気浄化装置を通る気流が得られ、従って、その空気吸入口が気流を受け取ることができる。
【００４６】
図３ａは、光触媒ボリューム３００の実施形態を分解図で概略的に示す。図３ｂは、光触媒ボリューム３５０の別の実施形態を断面図で概略的に示す。光触媒ボリューム３００、３５０は細長い構造体を備え、この細長い構造体の表面の少なくとも一部上に光触媒材料が設けられる。
【００４７】
図３ａでは、ガラス、石英ファイバー、酸化アルミニウム、又はアルミニウムナノワイヤなどの織られたワイヤ又は繊維３０８の３層３０２、３０４、３０６の構造体により形成される光触媒ボリューム３００の３次元図が提供される。光触媒材料が、ワイヤ又は繊維３０８上に設けられる。図３ａでは、３層３０２、３０４、３０６は互いの直接上に描かれていないが、実際の実施形態では、織られた細長い素子の層が互いの上に積層される。
【００４８】
図３ｂは、光触媒ボリューム３５０の別の実施形態の断面図を示す。光触媒ボリューム３５０は、アレイ状の構造において互いに接触している幾つかの細いロッド３５４を備える。ロッド３５４は、例えば、軸方向に互いに接着されているか又ははんだ付けされている。ロッド３５４同士の間には、光触媒ボリューム３５０の一方の側から光触媒ボリューム３５０の反対側へ（ロッド３５４の）軸方向に延在する開放空間３５２がある。開放空間３５２に面するロッド３５４の表面は、光触媒材料の層でコーティングされている。
【００４９】
光触媒ボリューム３５０の代替の実施形態では、図３ｂの網掛けの円３５４は、光触媒ボリューム３５０の一方の側から光触媒ボリューム３５０の反対側へ中空のチャンネルを形成し、中空のチャンネルに面する表面は光触媒材料でコーティングされている。３５２で示される「白色の」領域は、固体材料であってもよい。従って、光触媒ボリューム３５０は、バー３５２及びバー３５２間の開放空間３５４によって形成されてもよい。
【００５０】
光触媒ボリューム３５０の代替の実施形態では、描かれた網掛けの円３５４は、軸方向に互いに接触する細い管の断面図になる。管と同様に、管の間の空間３５２が空気のための通路を形成し、管の全表面が光触媒材料でコーティングされることができる。
【００５１】
図４ａは、照明装置４００の３次元図を概略的に示す。照明装置４００は、光出口窓４１０が得られるように少なくとも部分的に透明な光管４０６を備える。光管の第１の端部には、空気が光管４０６の中へと吸い込まれる穴４３２を備える、気流生成ユニット４０４が設けられる。第１の端部の反対側にある光管の第２の端部において、浄化された空気４４２が穴を通って光管を出てゆく。従って、空気吸入口が穴４３２と気流生成ユニット４０４とによって形成され、空気吹き出し口が第２の端部における穴（図示せず）によって形成される。光管４０６は、例えば、ガラス又は合成材料から作製されることができる。光管４０６の少なくとも一部が、光透過性であり、光出口窓４１０の機能を有する。光出口窓４１０は透明又は半透明であってもよく、少なくとも、ヒトの裸眼に見える光を透過することができる。
【００５２】
図４ｂ及び図４ｃは、線ＩＶ−ＩＶ’に沿った、図４ａの照明装置の断面図の可能な実施形態を概略的に示し、図４ｂは、光反射構成の光触媒ボリューム４３４を伴う第１の実施形態を表し、図４ｃは、光透過構成の光触媒ボリューム４６４を伴う第２の実施形態を表す。
【００５３】
図４ｂの断面図４３０は、光管４０６の内部に、ＴＬＥＤストリップ４３８／４３６、２つの光触媒ボリューム４３４、及び発光素子４３２が設けられることを示している。光管４０６の内部の全ての素子は、細長い形状を有し、光管４０６の内部で軸方向に延在する。ＴＬＥＤストリップ４３８／４３６は、細長い支持ストリップ４３８（プリント回路基板であり得る）を備え、その上に、ＴＬＥＤストリップ４３８／４３６から離れる方向に発光する複数のＬＥＤ４３６が設けられる。ＴＬＥＤストリップ４３８／４３６上には、紫外線を放射するＬＥＤと、深い青色の光を放射するＬＥＤの、２種類のＬＥＤが設けられる。紫外線及び深い青色の光の実施形態は、例えば図１ａとの関係において前に議論された。ＬＥＤ４３６は、ランベルト角度光放射分布を有することができ、従って、幾らかの光が光触媒ボリューム４３４に向けて側方にも放射される。光触媒ボリューム４３４は、例えば、表面に光触媒材料を含む繊維から作製される。光触媒ボリューム４３４は、光触媒材料を含む繊維に当たる光を少なくとも部分的に反射するように構成される。例えば、光触媒ボリューム４３４内の繊維の密度が比較的高く、かつ、例えば光触媒材料としてＴｉＯ２が設けられる場合、ＴｉＯ２は光を反射しかつ散乱させ、結果的に、光管内に反射されて戻る光の一部が、発光素子４３２に向けて放射される。発光素子４３２は、紫外線を可視光に変換する発光材料の層を少なくとも含む。照明装置４００の発光は、可視光を含む。光管４０６は、紫外線が周囲に透過されないように、周囲に放射される光をフィルタリングすることが好ましい。
【００５４】
図４ｃの断面図４６０は、図４ｂの照明ユニット４３０に類似した、かつ、図４ａの照明装置４００の説明済の素子も有する、照明ユニットを表す。しかしながら、図４ｃの照明装置は、別の発光素子４６２及び別の光触媒ボリューム４６４を備える。光触媒ボリューム４６４は、ＴＬＥＤストリップ４３８／４３６と発光素子４６２との間に配置される。光触媒ボリューム４６４は、非常に細いワイヤでできているか、又は、表面に光触媒材料を含む繊維でできている、織られた又は不織の細長い素子であり得る。光触媒ボリューム４６４の密度は、第１の側から光触媒ボリューム４６４に入った光が光触媒ボリューム４６４を通って光触媒ボリューム４６４の第２の側へと（少なくとも部分的に）透過されるように、選択される。光触媒ボリューム４６４を通る透過は、光の反射及び散乱も含み得る。従って、発光素子４６２に当たる光は、少なくとも部分的に光触媒ボリューム４６４を通って透過される。発光素子４６２は、少なくとも紫外線を可視光に変換する発光材料の層を含む。
【００５５】
図４ａ、図４ｂ、図４ｃの照明装置４００の実施形態は、伝統的な放電管に適した伝統的な照明器具において使用されるように構成されることができる。従って、照明装置４００は、コンセント電源に接続するための２本のピンを両端に有することができ、かつ照明装置４００は、追加の電気回路を備えて、これらの２本のピンを介して受け取られる電力を、ＬＥＤ４３６に使用するのに適した電力に変換することができる。
【００５６】
照明分野の当業者であれば、紫外線を可視光に変換するのに適した発光材料を知っている。例えば、そのような発光材料は蛍光灯に広範に使用されている。適切な発光材料の実施形態は、これに限定するものではないが、有機蛍光体、無機蛍光体、量子ドット、量子ロッドであり得る。
【００５７】
図５は、２つの照明器具５０４、５０６を備える部屋５００の内部を概略的に示す。部屋５００の天井５０２には、本発明の態様に従った照明装置を含む照明器具５０４が設けられている。例えば、図４ａ、４ｂ、又は４ｃの実施形態に従った照明装置４００が、照明器具５０４の中に設けられている。部屋５００の壁５０８には、本発明の態様に従った照明装置を含む壁掛け照明器具が設けられている。照明器具５０４、５０６は、部屋５００の照明に加えて、空気浄化の有利な効果も提供する。
【００５８】
要約すると、本明細書は空気浄化装置、照明装置、及び照明器具を提供する。空気浄化装置は、空気吸入口、空気吹き出し口、光触媒ボリューム、第１の固体発光体、及び第２の固体発光体を備える。空気吸入口は、気流を受け取る。光触媒ボリュームは光触媒材料を含み、気流は光触媒ボリュームを通って流れて一部の空気を光触媒材料に触れさせる。光触媒ボリュームは、空気吸入口と空気吹き出し口との間にある。光触媒材料は、気流中のガス同士の光化学反応において紫外線の影響下で触媒となる。第１の固体発光体が、光触媒ボリュームに向けて紫外線を放射する。第２の固体発光体が、光触媒ボリュームに向けて深い青色の光を放射する。深い青色の光は４００ナノメートル〜４５０ナノメートルの間にピーク波長を有する。
【００５９】
空気浄化装置、照明装置、及び照明器具の例が、以下の番号付きの節において定義される。
１．空気を浄化するための空気浄化装置（１００、２００）であって、
−気流（１４０）を受け取るための空気吸入口（１３２）と、
−空気吹き出し口（１３４）と、
−光触媒材料を含む光触媒ボリューム（１５０、３００、３５０、４３４、４６４）であって、前記光触媒ボリューム（１５０、３００、３５０、４３４、４６４）を通って流れる空気の少なくとも一部が前記光触媒材料と接触するように空気が前記光触媒ボリューム（１５０、３００、３５０、４３４、４６４）を通って流れることを可能にするように構成され、使用時に前記空気吸入口（１３２）によって受け取られた前記気流（１４０）の少なくとも一部が前記光触媒ボリューム（１５０、３００、３５０、４３４、４６４）を通って流れることを確実にするように前記空気吸入口（１３２）と前記空気吹き出し口（１３４）との間に配置され、前記光触媒材料が、前記光触媒ボリューム（１５０、３００、３５０、４３４、４６４）を通って流れる空気中のガス同士の光化学反応において紫外線（１０４）の影響下で触媒となるように構成される、光触媒ボリューム（１５０、３００、３５０、４３４、４６４）と、
−紫外線（１０４）を放射するように、かつ、前記光触媒材料を前記触媒として作用するように活性化させるために紫外線（１０４）を前記光触媒ボリューム（１５０、３００、３５０、４３４、４６４）に向けて放射するように、構成される第１の固体発光体（１０２、２０２）と、
−４００ナノメートルから４５０ナノメートルの範囲内にピーク波長（λｐｅａｋ２）を有する発光スペクトル（１７４）で深い青色の光（１２４）を放射するように構成され、前記光触媒ボリュームに向けて深い青色の光（１２４）を放射するように構成される、第２の固体発光体（１２２、２２２）と、
を備える、空気浄化装置（１００、２００）。
２．前記第２の固体発光体（１２２、２２２）の光強度が、前記光触媒ボリューム（１５０、３００、３５０、４３４、４６４）において１０から３０ｍＷｈ／ｃｍ２の範囲の深い青色の光（１２４）の光エネルギー密度を得るように選択される、節１に記載の空気浄化装置（１００、２００）。
３．深い青色の光（１２４）の前記発光スペクトルの前記ピーク波長（λｐｅａｋ２）が４１５から４３５ナノメートルの範囲内にある、節１乃至節２のいずれか一節に記載の空気浄化装置（１００、２００）。
４．前記第２の固体発光体（１２２、２２２）のオン及びオフ状態を制御するためのコントローラ（１１０）を更に備える、節１乃至節３のいずれか一節に記載の空気浄化装置（１００、２００）。
５．前記コントローラ（１１０）が、前記第１の固体発光体（１０２、２０２）が発光していない間に、前記第２の固体発光体（１２２、２２２）を前記オン状態へと制御するように構成される、節４に記載の空気浄化装置（１００、２００）。
６．前記第１の固体発光体（１０２、２０２）によって放射される紫外線（１０４）が３００ナノメートルから４００ナノメートルの範囲内のピーク波長を有する、節１乃至節５のいずれか一節に記載の空気浄化装置（１００、２００）。
７．前記光触媒ボリューム（１５０、３００、３５０、４３４、４６４）が細長い構造体（１５４、３０８、３５４）を含み、前記光触媒材料が前記細長い構造体（１５４、３０８、３５４）の表面の少なくとも一部の上に設けられる、節１乃至節６のいずれか一節に記載の空気浄化装置（１００、２００）。
８．前記細長い構造体（１５４、３０８、３５４）が繊維（１５４、３０８）であり、かつ、任意選択的に、前記光触媒ボリュームが、前記繊維（１５４、３０８）から作製される織られた又は不織の材料である、節７に記載の空気浄化装置（１００、２００）。
９．前記空気吸入口（１３２）によって受け取られる前記気流（１４０）を発生させるための気流発生器（２８０）を更に備える、節１乃至節８のいずれか一節に記載の空気浄化装置（１００、２００）。
１０．前記第２の固体発光体（１２２、２２２）が、例えば前記空気浄化装置（１００、２００）のハウジング（１３０）の内側表面の一部に向けてなど、前記空気浄化装置（１００、２００）の他の部品に向けて、前記深い青色の光（１２４）を放射するように構成される、節１乃至節９のいずれか一節に記載の空気浄化装置（１００、２００）。
１１．光源（４３６）と、節１乃至節１０のいずれか一節に記載の前記空気浄化装置（１００、２００）とを備える、照明装置（４００、４３０、４６０）。
１２．紫外線（１０４）を可視光に変換するように構成される発光材料（４３２、４６２）を更に備え、前記発光材料（４３２、４６２）が前記空気浄化装置（１００、２００）の前記第１の固体発光体（１０２、２０２）によって放射される紫外線（１０４）の一部を受け取るように構成され、前記照明装置（４００、４３０、４６０）が前記照明装置（４００、４３０、４６０）の周囲に向けて前記可視光の少なくとも一部を放射するための光出口窓（４１０）を更に備える、節１１に記載の照明装置（４００、４３０、４６０）。
１３．節１１に記載の照明装置（４００、４３０、４６０）を備える照明器具（５０４、５０６）。
【００６０】
上述した実施形態は本発明を限定するよりはむしろ説明するものであり、当業者は添付の特許請求の範囲から逸脱することなく多数の代替の実施形態を設計することができることが、留意されるべきである。
【００６１】
請求項において、括弧の間に置かれたいずれの参照符号も、特許請求の範囲を限定するものとして解釈されるべきではない。動詞「含む（comprise）」及びその活用形の使用は、請求項に記載された要素又はステップ以外の要素又はステップの存在を排除するものではない。要素の前の冠詞「１つの（a）」又は「１つの（an）」は、複数のそのような要素の存在を排除するものではない。本発明は、幾つかの別個の要素を含むハードウェアによって実装されることができ、コントローラは、適切にプログラムされたコンピュータ又はプロセッサによって実装されることができる。幾つかの手段を列挙する装置の請求項において、これらの手段のうちの幾つかは全く同一のハードウェア項目によって具現化されることができる。特定の処置が互いに異なる従属請求項に記載されているという単なる事実は、これらの処置の組み合わせが利益を得るように使用され得ないということを示すものではない。
【図１ａ】
2017524391.tif 000003
【図１ｂ】
2017524391.tif 000004
【図２】
2017524391.tif 000005
【図３ａ】
2017524391.tif 000006
【図３ｂ】
2017524391.tif 000007
【図４ａ】
2017524391.tif 000008
【図４ｂ】
2017524391.tif 000009
【図４ｃ】
2017524391.tif 000010
【図５】
2017524391.tif 000011
【国際調査報告】
2017524391.tif 000012
2017524391.tif 000013
2017524391.tif 000014